(57)【要約】【課題】  インナーダクト４の第２、第５薄膜部５に設けられる第１、第２多角環状リブ７の根元部の各曲がり部４３、４４の突出方向が急激に反転するのを防止して異音の発生を抑制することを課題とする。【解決手段】  インナーダクト（振動膜）４に設けられる第２、第５薄膜部５の各振動面において、第１、第２多角環状リブ７、特に第２、第５突条リブの根元部の各曲がり部４３、４４を第２、第５薄膜部５の各振動面に対して直交する垂直方向から見た形状は、第２、第５突条リブの両斜面部より外側に向かって出っ張った出っ張り状の突起部分５１、５２を備える形状となっている。あるいは第１、第２多角環状リブ７の根元部の各曲がり部４５、４６の平面視形状が、複数の第１〜第６屈曲部６に対して略直交する垂直方向に波状に蛇行して延びる波形形状となっている。【選択図】  図３
2009156185.tif 000002
【特許請求の範囲】
【請求項１】
内部に流体流路が形成された筒状のダクトと、このダクトの周囲を気体層を介して取り囲む筒状の被覆体とを備え、
前記ダクトよりも前記流体流路を流れる流体の流れ方向の上流側または下流側で発生した音、あるいは前記ダクトの内部で発生した音を減衰させる消音器において、
前記ダクトは、その周方向に複数の振動面を有する薄膜を具備し、
前記薄膜は、前記複数の振動面のうちの隣り合う２つの振動面間に、前記流体流路を流れる流体の流れ方向に沿って延びる第１補強部を有し、且つ前記複数の振動面のうちの少なくとも１つの振動面の一部を前記ダクトの外部方向に向けて突出させると共に、前記ダクトの周方向に延びる第２補強部を有し、
前記第２補強部の根元部には、前記ダクトの内部方向に向けて突出する凸形状の曲がり部が形成されており、
前記少なくとも１つの振動面において、前記第２補強部自体またはその近傍には、前記曲がり部の突出方向が反転するのを防止する反転防止部が形成されていることを特徴とする消音器。
【請求項２】
請求項１に記載の消音器において、
前記ダクトの周方向は、前記第１補強部に対して直交する垂直方向、あるいは前記第１補強部に対して斜めに交差する方向であることを特徴とする消音器。
【請求項３】
請求項１または請求項２に記載の消音器において、
前記反転防止部は、前記第２補強部の根元部の平面視形状が、前記第１補強部に対して直交する垂直方向の幅よりも長い直線部を、前記第１補強部に対して直交する垂直方向の幅方向に有さない形状となっていることを特徴とする消音器。
【請求項４】
請求項１ないし請求項３のうちのいずれか１つに記載の消音器において、
前記反転防止部は、前記第２補強部の根元部の平面視形状が、前記第１補強部に対して直交する垂直方向の幅よりも短い直線部を、前記第１補強部に対して直交する垂直方向の幅方向に有する形状となっていることを特徴とする消音器。
【請求項５】
請求項１ないし請求項４のうちのいずれか１つに記載の消音器において、
前記反転防止部は、前記流体流路を流れる流体の流れ方向の上流側または下流側に形成されることを特徴とする消音器。
【請求項６】
請求項１ないし請求項５のうちのいずれか１つに記載の消音器において、
前記ダクトは、その周方向の略全周が、前記薄膜によって形成されていることを特徴とする消音器。
【請求項７】
請求項１ないし請求項６のうちのいずれか１つに記載の消音器において、
前記被覆体は、硬質のダクトまたは軟質の被覆材によって形成されていることを特徴とする消音器。
【請求項８】
請求項１ないし請求項７のうちのいずれか１つに記載の消音器において、
前記流体流路とは、内燃機関の燃焼室に連通する吸気通路のことであって、
前記流体とは、前記吸気通路の内部を流れる吸入空気のことであることを特徴とする消音器。
【請求項９】
請求項１ないし請求項８のうちのいずれか１つに記載の消音器において、
前記薄膜は、樹脂フィルムによって形成されていることを特徴とする消音器。
【請求項１０】
請求項１ないし請求項９のうちのいずれか１つに記載の消音器において、
前記ダクトは、前記流体流路を流れる流体の流れ方向に垂直な断面形状が、多角筒形状となっていることを特徴とする消音器。
【請求項１１】
請求項１ないし請求項１０のうちのいずれか１つに記載の消音器において、
前記複数の振動面全体または前記隣り合う２つの振動面または前記少なくとも１つの振動面は、平面であることを特徴とする消音器。
【請求項１２】
請求項１ないし請求項１１のうちのいずれか１つに記載の消音器において、
前記ダクトは、前記第１補強部を前記被覆体に接近する方向に延伸して前記被覆体に固定されることを特徴とする消音器。
【請求項１３】
請求項１ないし請求項１２のうちのいずれか１つに記載の消音器において、
前記気体層は、前記ダクトの周方向の一部分が密閉され、前記ダクトの周方向の残りの部分が開放されることを特徴とする消音器。
【請求項１４】
請求項１ないし請求項１３のうちのいずれか１つに記載の消音器において、
前記被覆体は、前記気体層と前記被覆体の外部とを連通する連通孔を有していることを特徴とする消音器。
【請求項１５】
内部に流体流路が形成された筒状のダクトと、このダクトの周囲を気体層を介して取り囲む筒状の被覆体とを備え、
前記ダクトよりも前記流体流路を流れる流体の流れ方向の上流側または下流側で発生した音、あるいは前記ダクトの内部で発生した音を減衰させる消音器において、
前記ダクトは、その周方向に複数の振動面を有する薄膜を具備し、
前記薄膜は、前記複数の振動面のうちの隣り合う２つの振動面間に、前記流体流路を流れる流体の流れ方向に沿って延びる第１補強部を有し、且つ前記複数の振動面のうちの少なくとも１つの振動面の一部を前記ダクトの外部方向に向けて突出させると共に、前記ダクトの周方向に延びる第２補強部を有し、
前記少なくとも１つの振動面において、前記第２補強部の根元部を前記少なくとも１つの振動面に対して直交する垂直方向から見た形状、あるいは前記第２補強部の根元部の平面視形状は、
前記第１補強部に対して直交する垂直方向の幅よりも長い直線部を、前記第１補強部に対して直交する垂直方向の幅方向に有さない形状であることを特徴とする消音器。
【請求項１６】
内部に流体流路が形成された筒状のダクトを備え、
前記ダクトよりも前記流体流路を流れる流体の流れ方向の上流側または下流側で発生した音、あるいは前記ダクトの内部で発生した音を減衰させる消音器において、
前記ダクトは、その周方向に複数の振動面を有する薄膜を具備し、
前記薄膜は、前記複数の振動面のうちの隣り合う２つの振動面間に、前記流体流路を流れる流体の流れ方向に沿って延びる第１補強部を有し、且つ前記複数の振動面のうちの少なくとも１つの振動面の一部を前記ダクトの外部方向に向けて突出させると共に、前記ダクトの周方向に延びる第２補強部を有し、
前記第２補強部の根元部には、前記ダクトの内部方向に向けて突出する凸形状の曲がり部が形成されており、
前記少なくとも１つの振動面において、前記第２補強部自体またはその近傍には、前記曲がり部の突出方向が反転するのを防止する反転防止部が形成されていることを特徴とする消音器。
【請求項１７】
請求項１ないし請求項１６のうちのいずれか１つに記載の消音器において、
前記少なくとも１つの振動面において、前記第２補強部を前記少なくとも１つの振動面に対して直交する垂直方向から見た形状、あるいは前記第２補強部の平面視形状は、
前記第１補強部に対して直交する垂直方向に延び、前記第１補強部に対して平行な方向に一定の幅を有する部分、およびこの一定の幅を有する部分から前記第１補強部に対して平行な方向に延びる出っ張り部分を備える形状であることを特徴とする消音器。
【請求項１８】
請求項１ないし請求項１６のうちのいずれか１つに記載の消音器において、
前記少なくとも１つの振動面において、前記第２補強部を前記少なくとも１つの振動面に対して直交する垂直方向から見た形状、あるいは前記第２補強部の平面視形状は、
前記第１補強部に対して直交する垂直方向に波状に蛇行して延びる波形形状であることを特徴とする消音器。
【請求項１９】
請求項１ないし請求項１６のうちのいずれか１つに記載の消音器において、
前記少なくとも１つの振動面において、前記第２補強部を前記少なくとも１つの振動面に対して直交する垂直方向から見た形状、あるいは前記第２補強部の平面視形状は、
略菱形の形状であることを特徴とする消音器。
【請求項２０】
請求項１ないし請求項１６のうちのいずれか１つに記載の消音器において、
前記少なくとも１つの振動面において、前記第２補強部を前記少なくとも１つの振動面に対して直交する垂直方向から見た形状、あるいは前記第２補強部の平面視形状は、
略Ｘ字形の形状であることを特徴とする消音器。
【請求項２１】
請求項１ないし請求項１６のうちのいずれか１つに記載の消音器において、
前記少なくとも１つの振動面において、前記第２補強部の根元部を前記少なくとも１つの振動面に対して直交する垂直方向から見た形状、あるいは前記第２補強部の根元部の平面視形状は、
前記第１補強部に対して直交する垂直方向に延びる直線部分を備え、複数に分割されている形状であることを特徴とする消音器。
【請求項２２】
請求項１ないし請求項１６のうちのいずれか１つに記載の消音器において、
前記少なくとも１つの振動面において、前記第２補強部の根元部を前記少なくとも１つの振動面に対して直交する垂直方向から見た形状、あるいは前記第２補強部の根元部の平面視形状は、
前記第１補強部に対して直交する垂直方向に延び、且つその垂直方向の中央部分が括れた形状であることを特徴とする消音器。
【請求項２３】
請求項１ないし請求項１６のうちのいずれか１つに記載の消音器において、
前記少なくとも１つの振動面において、前記第２補強部の根元部を前記少なくとも１つの振動面に対して直交する垂直方向から見た形状、あるいは前記第２補強部の根元部の平面視形状は、
前記第１補強部に対して直交する垂直方向に延びる直線部分、およびこの直線部分の中央部分より離れた島状部分を備えた形状であることを特徴とする消音器。
【請求項２４】
請求項１ないし請求項２３のうちのいずれか１つに記載の消音器において、
前記ダクトは、前記流体流路を流れる流体の流れ方向における流路断面積が、上流側から下流側に向けて大きくなっていることを特徴とする消音器。
【発明の詳細な説明】
【技術分野】
【０００１】
本発明は、ダクトの薄膜に設けられる第２補強部の曲がり部の突出方向が急激に反転するのを防止することが可能な消音器に関するものである。
【背景技術】
【０００２】
［従来の技術］
従来より、内燃機関（エンジン）からの脈動波により、吸気ダクトの内部にて気柱共鳴が発生し、この気柱共鳴による吸気ダクトの共振に伴って吸気ダクトから放射音が発生するという問題があった。
そこで、エンジンの吸気通路の途中に、外管（または外筒）と内管（または内筒）とからなる２重管構造の吸気消音器を設置し、内管（または内筒）を薄膜とすることで、吸気ダクトの内部に気柱共鳴を発生し難くするようにし、外管（または外筒）の剛性を高めて膜振動を抑制することで、外管（または外筒）から外部へ伝達される放射音を低減させるようにした吸気ダクトが公知である（例えば、特許文献１参照）。
【０００３】
特許文献１に記載の吸気消音器は、図１０に示したように、多数の小孔１０１が形成された円筒状の補強部材１０２と、全ての小孔１０１を塞ぐように補強部材１０２の外周部を被覆する可撓性薄膜部材１０３と、補強部材１０２および可撓性薄膜部材１０３よりなるインナーダクトの周囲をダンパ室１０４を介して取り囲むアウターダクト１０５とを備えている。
そして、ダンパ室１０４の両側の開口部は、音波が透過可能なポリウレタンフォーム等の端部壁部材１０６、１０７によって閉塞されている。また、アウターダクト１０５の内周面には、ポリウレタンフォーム等の吸音材１０９が貼着されている。
ここで、補強部材１０２は、２つの第１、第２ダクト１１１、１１２と同様に、ポリプロピレン等の剛性を有する合成樹脂からなる。また、可撓性薄膜部材１０３は、音波が透過可能なように可撓性を有する合成樹脂フィルム等からなる。また、アウターダクト１０５は、ポリプロピレン等の剛性を有する合成樹脂からなる。
【０００４】
［従来の技術の不具合］
ところが、特許文献１に記載の吸気消音器においては、多数の小孔１０１が形成された補強部材１０２を可撓性薄膜部材１０３の内周部に入れることで可撓性薄膜部材１０３の強度をアップしているが、インナーダクトにおける薄膜部の面積が著しく減少し、消音効果が著しく低下するという問題が生じる。
そこで、インナーダクトの周方向を全面薄膜化することで、大きな消音効果を得ることができる。
しかし、インナーダクトの周方向を全面薄膜化すると、インナーダクトの強度が低下してしまうという問題が生じる。
【０００５】
そこで、全面薄膜化されたインナーダクトの強度をアップするという目的で、図１１に示したように、複数の振動面を有する薄膜状のインナーダクト１２０の隣り合う２つの振動面間に吸気流方向に沿って真っ直ぐに延びる複数の第１補強部（インナーダクト１２０の径方向外方に向けて凸形状の屈曲部）１２１を設け、且つこの第１補強部１２１に対して直交する垂直方向に真っ直ぐに延びる第２補強部（インナーダクト１２０の径方向外方に向けて凸形状の直線部：補強リブ）１２２を設けることが考えられる。この第２補強部１２２の根元部には、インナーダクト１２０の径方向内方に凸形状の曲がり部１２３、１２４が形成されている。
また、インナーダクト１２０は、吸気流方向に垂直な断面が、六角筒形状に形成されている。
【０００６】
しかるに、図１１に示したインナーダクト１２０は、長い直線部を有する第２補強部１２２が設けられているので、エンジンからの脈動波による吸気通路内部の圧力変化によって、第２補強部１２２の両側の曲がり部１２３、１２４のうちの少なくとも一方の曲がり部１２３の突出方向が急激に反転し、大きな異音（「ベコ」という高周波音）が発生するという問題が生じている。また、図１１に示したインナーダクト１２０は、その第２補強部１２２の曲がり部１２３の突出方向が急激な反転を繰り返すことで、第２補強部１２２の曲がり部１２３に応力が集中し、疲労による破損に至る可能性がある。
【特許文献１】特開２００４−３４６７５０号公報
【発明の開示】
【発明が解決しようとする課題】
【０００７】
本発明の目的は、ダクトの薄膜に設けられる第２補強部の突出方向が急激に反転するのを防止することで、異音の発生を抑制することのできる消音器を提供することにある。また、ダクトの薄膜に設けられる第２補強部の突出方向が急激な反転を繰り返すのを防止することで、第２補強部に作用する応力を緩和して耐疲労性を向上することのできる消音器を提供することにある。
【課題を解決するための手段】
【０００８】
請求項１に記載の発明によれば、ダクトは、その周方向に複数の振動面を有する薄膜を具備している。
その薄膜は、複数の振動面のうちの隣り合う２つの振動面間に、流体流路を流れる流体の流れ方向に沿って延びる第１補強部を設けている。また、薄膜は、複数の振動面のうちの少なくとも１つの振動面の一部をダクトの外部方向に向けて突出させると共に、ダクトの周方向に延びる第２補強部を設けている。
この第２補強部の根元部に、ダクトの内部方向に向けて突出する凸形状の曲がり部を形成している。
【０００９】
そして、複数の振動面のうちの少なくとも１つの振動面において、第２補強部自体またはその近傍に、第２補強部の曲がり部の突出方向が反転するのを防止する反転防止部を設けたことにより、ダクトの内部（流体流路内）に圧力変化が発生した場合であっても、ダクトの薄膜に設けられる第２補強部の曲がり部の突出方向が急激に反転するのを防止することができるので、異音の発生を抑制できる。
また、ダクトの薄膜に設けられる第２補強部の曲がり部の突出方向が急激な反転を繰り返すのを防止することができるので、第２補強部の曲がり部に作用する応力を緩和でき、耐疲労性が向上する。
【００１０】
請求項２に記載の発明によれば、ダクトの周方向とは、第１補強部に対して直交する垂直方向のことである。あるいはダクトの周方向とは、第１補強部に対して斜めに交差する方向のことである。
請求項３に記載の発明によれば、反転防止部は、第２補強部の根元部（の曲がり部）の平面視形状が、第１補強部に対して直交する垂直方向の幅よりも長い直線部（直線部分）を、第１補強部に対して直交する垂直方向の幅方向に有さない形状となっている。これによって、請求項１に記載の発明と同様な効果を得ることができる。
請求項４に記載の発明によれば、反転防止部は、第２補強部の根元部（の曲がり部）の平面視形状が、第１補強部に対して直交する垂直方向の幅よりも短い直線部（直線部分）を、第１補強部に対して直交する垂直方向の幅方向に有する形状となっている。これによって、請求項１に記載の発明と同様な効果を得ることができる。
【００１１】
請求項５に記載の発明によれば、反転防止部は、（例えばダクトの内部（流体流路）を流れる流体の流れ方向の中央部よりも）ダクトの内部（流体流路）を流れる流体の流れ方向の上流側または下流側に形成される。
請求項６に記載の発明によれば、ダクトの周方向の略全周は、薄膜によって形成されている。
請求項７に記載の発明によれば、被覆体は、硬質のダクトまたは軟質の被覆材によって形成されている。
請求項８に記載の発明によれば、流体流路とは、内燃機関の燃焼室に連通する吸気通路のことである。また、流体とは、内燃機関の吸気通路の内部を流れる吸入空気のことである。
【００１２】
請求項９に記載の発明によれば、ダクトの薄膜は、樹脂フィルムによって形成されている。
請求項１０に記載の発明によれば、ダクトは、流体流路を流れる流体の流れ方向に垂直な断面形状が、多角筒形状となっている。
請求項１１に記載の発明によれば、複数の振動面全体または複数の振動面のうちの隣り合う２つの振動面または複数の振動面のうちの少なくとも１つの振動面は、平面（平坦な面）である。
【００１３】
請求項１２に記載の発明によれば、ダクトは、第１補強部を被覆体に接近する方向に延伸して被覆体に固定される。
請求項１３に記載の発明によれば、気体層は、ダクトの周方向の一部分が密閉され、ダクトの周方向の残りの部分が開放される。
請求項１４に記載の発明によれば、被覆体は、気体層と被覆体の外部とを連通する連通孔を有している。
【００１４】
請求項１５に記載の発明によれば、ダクトは、その周方向に複数の振動面を有する薄膜を具備している。
その薄膜は、複数の振動面のうちの隣り合う２つの振動面間に、流体流路を流れる流体の流れ方向に沿って延びる第１補強部を設けている。また、薄膜は、複数の振動面のうちの少なくとも１つの振動面の一部をダクトの外部方向に向けて突出させると共に、ダクトの周方向に延びる第２補強部を設けている。
【００１５】
そして、ダクトの薄膜に設けられる第２補強部の根元部を複数の振動面のうちの少なくとも１つの振動面に対して直交する垂直方向から見た形状、あるいは第２補強部の根元部の平面視形状は、第１補強部に対して直交する垂直方向の幅よりも長い直線部（直線部分）を、第１補強部に対して直交する垂直方向の幅方向に有さない形状となっている。
これによって、ダクトの内部（流体流路内）に圧力変化が発生した場合であっても、ダクトの薄膜に設けられる第２補強部の突出方向が急激に反転するのを防止することができるので、異音の発生を抑制することができる。
また、ダクトの薄膜に設けられる第２補強部の突出方向が急激な反転を繰り返すのを防止することができるので、第２補強部に作用する応力を緩和して耐疲労性を向上することができる。
【００１６】
請求項１６に記載の発明によれば、ダクトは、その周方向に複数の振動面を有する薄膜を具備している。
その薄膜は、複数の振動面のうちの隣り合う２つの振動面間に、流体流路を流れる流体の流れ方向に沿って延びる第１補強部を設けている。また、薄膜は、複数の振動面のうちの少なくとも１つの振動面の一部をダクトの外部方向に向けて突出させると共に、ダクトの周方向に延びる第２補強部を設けている。
この第２補強部の根元部に、ダクトの内部方向に向けて突出する凸形状の曲がり部を形成している。
【００１７】
そして、複数の振動面のうちの少なくとも１つの振動面において、第２補強部自体またはその近傍に、第２補強部の曲がり部の突出方向が反転するのを防止する反転防止部を設けたことにより、ダクトの内部（流体流路内）に圧力変化が発生した場合であっても、ダクトの薄膜に設けられる第２補強部の曲がり部の突出方向が急激に反転するのを防止することができるので、異音の発生を抑制することができる。
また、ダクトの薄膜に設けられる第２補強部の曲がり部の突出方向が急激な反転を繰り返すのを防止することができるので、第２補強部の曲がり部に作用する応力を緩和して耐疲労性を向上することができる。
【００１８】
請求項１７に記載の発明によれば、複数の振動面のうちの少なくとも１つの振動面において、第２補強部を複数の振動面のうちの少なくとも１つの振動面に対して直交する垂直方向から見た形状、あるいは第２補強部の平面視形状は、第１補強部に対して直交する垂直方向に延び、第１補強部に対して平行な方向に一定の幅を有する部分、およびこの一定の幅を有する部分から第１補強部に対して平行な方向に延びる出っ張り部分を備える形状となっている。
請求項１８に記載の発明によれば、複数の振動面のうちの少なくとも１つの振動面において、第２補強部を複数の振動面のうちの少なくとも１つの振動面に対して直交する垂直方向から見た形状、あるいは第２補強部の平面視形状は、第１補強部に対して直交する垂直方向に波状に蛇行して延びる波形形状となっている。
【００１９】
請求項１９に記載の発明によれば、複数の振動面のうちの少なくとも１つの振動面において、第２補強部を複数の振動面のうちの少なくとも１つの振動面に対して直交する垂直方向から見た形状、あるいは第２補強部の平面視形状は、略菱形の形状となっている。
請求項２０に記載の発明によれば、複数の振動面のうちの少なくとも１つの振動面において、第２補強部を複数の振動面のうちの少なくとも１つの振動面に対して直交する垂直方向から見た形状、あるいは第２補強部の平面視形状は、略Ｘ字形の形状となっている。  
【００２０】
請求項２１に記載の発明によれば、複数の振動面のうちの少なくとも１つの振動面において、第２補強部の根元部を複数の振動面のうちの少なくとも１つの振動面に対して直交する垂直方向から見た形状、あるいは第２補強部の根元部の平面視形状は、第１補強部に対して直交する垂直方向に延びる直線部分を備え、複数に分割されている形状となっている。
請求項２２に記載の発明によれば、複数の振動面のうちの少なくとも１つの振動面において、第２補強部の根元部を複数の振動面のうちの少なくとも１つの振動面に対して直交する垂直方向から見た形状、あるいは第２補強部の根元部の平面視形状は、第１補強部に対して直交する垂直方向に延び、且つその垂直方向の中央部分が括れた形状となっている。
【００２１】
請求項２３に記載の発明によれば、複数の振動面のうちの少なくとも１つの振動面において、第２補強部の根元部を複数の振動面のうちの少なくとも１つの振動面に対して直交する垂直方向から見た形状、あるいは第２補強部の根元部の平面視形状は、第１補強部に対して直交する垂直方向に延びる直線部分、およびこの直線部分の中央部分より離れた島状部分を備えた形状となっている。
請求項２４に記載の発明によれば、ダクトは、流体流路を流れる流体の流れ方向における流路断面積が、上流側から下流側に向けて大きくなっている。
【発明を実施するための最良の形態】
【００２２】
本発明を実施するための最良の形態は、ダクトの薄膜に設けられる第２補強部の突出方向が急激に反転するのを防止することで、異音の発生を抑制するという目的、また、ダクトの薄膜に設けられる第２補強部の突出方向が急激な反転を繰り返すのを防止することで、第２補強部に作用する応力を緩和して耐疲労性を向上するという目的を、複数の振動面のうちの少なくとも１つの振動面において、第２補強部自体またはその近傍に、第２補強部の根元部の突出方向が反転するのを防止する反転防止部を形成することで実現した。または、ダクトの薄膜に設けられる第２補強部の根元部を複数の振動面のうちの少なくとも１つの振動面に対して直交する垂直方向から見た形状、あるいは第２補強部の根元部の平面視形状を、第１補強部に対して直交する垂直方向の幅よりも長い直線部（直線部分）を、第１補強部に対して直交する垂直方向の幅方向に有さない形状にすることで実現した。
【実施例１】
【００２３】
［実施例１の構成］
図１ないし図３は本発明の実施例１を示したもので、図１は内燃機関の吸気制御装置を示した図で、図２は内燃機関の吸気消音器を示した図で、図３はインナーダクトを示した図である。
【００２４】
本実施例の内燃機関の制御装置（エンジン制御システム）は、複数の気筒を有する内燃機関（例えば４気筒ガソリンエンジン：以下エンジンと言う）Ｅの各気筒毎の燃焼室に吸入空気を供給するための吸気通路（外気導入通路１０、共通吸気通路１３、吸気導入通路１４、連通路１５、吸気導入通路１６、共通吸気通路１７、分岐吸気通路２０等）を開閉する吸気通路開閉装置と、エンジンＥの各気筒毎の燃焼室内において混合気の燃焼を促進させるための吸気渦流を生成することが可能な吸気渦流発生装置と、エンジンＥの吸気脈動に伴って発生する吸気音を低減する吸気音低減装置（内燃機関の吸気音低減装置）とを備えた内燃機関の吸気制御装置として使用されるものである。この吸気音低減装置を含む吸気制御装置は、エンジンＥの吸気系統に組み込まれており、しかも自動車等の車両のエンジンルーム内に設置されている。
【００２５】
ここで、エンジンＥは、エアクリーナ（内燃機関のエアクリーナ）１で濾過された清浄な吸入空気とインジェクタ（図示せず）より噴射された燃料との混合気を燃焼室内で燃焼させて得られる熱エネルギーにより出力を発生するもので、吸気行程、圧縮行程、膨張（燃焼）行程、排気行程の４つの行程（ストローク）を周期（サイクル）として繰り返す４サイクルエンジンが採用されている。
このエンジンＥは、その各気筒毎の燃焼室内に吸入空気（吸気）を供給するための吸気ダクト（インテークダクト、吸気管）２と、エンジンＥの各気筒毎の燃焼室より流出する排気ガスを排気浄化装置を経由して外部に排出するための排気ダクト（エキゾーストダクト、排気管）とを備えている。
【００２６】
そして、エンジンＥは、シリンダヘッドおよびシリンダブロック等によって構成されている。シリンダヘッドの一方側に形成される複数の吸気ポートは、ポペット型の吸気バルブ（インテークバルブ）によって開閉され、また、シリンダヘッドの他方側に形成される複数の排気ポートは、ポペット型の排気バルブ（エキゾーストバルブ）によって開閉される。
また、シリンダブロックの内部に形成されるシリンダボア内には、連接棒を介してクランクシャフトに連結されたピストンがその摺動方向に摺動自在に支持されている。さらに、エンジンＥのシリンダヘッドには、先端部が各気筒毎の燃焼室内に露出するようにスパークプラグが取り付けられている。そして、シリンダヘッドには、吸気ポート内に最適なタイミングで燃料を噴射するインジェクタ（電磁式燃料噴射弁）が取り付けられている。  
【００２７】
エアクリーナ１は、エンジンＥの吸気ダクト２の最上流部に設置された外気導入ダクト（エアクリーナ１のインレットダクト）２１、この外気導入ダクト２１の下流端が接続するエアクリーナケース２２、およびこのエアクリーナケース２２の内部空間（ダストサイド空間１１、クリーンサイド空間１２）内に収容保持されたエアクリーナエレメント（フィルタエレメント）２３等によって構成されている。
フィルタエレメント２３は、外気導入ダクト２１の上流端で開口した外気導入口（吸気ダクト２の吸入口）２４よりエアクリーナケース２２の内部空間内に導入される吸入空気（外気）を濾過する。つまり、フィルタエレメント２３は、外気導入口２４より導入される外気中に含まれる不純物（塵や埃、砂等のダスト）を捕捉して取り除くことで、硬質の不純物がエンジンＥの燃焼室内に吸い込まれることによるエンジン摺動摩耗等を防止する濾過フィルタ（エアフィルタ）である。
【００２８】
本実施例の吸気通路開閉装置は、内燃機関の電子スロットル制御装置であって、エンジンＥの吸気ダクト（内燃機関の吸気管）２の途中、つまりエアクリーナ１よりも吸入空気の流れ方向（吸気流方向）の下流側に設置されたスロットルボディ２６、このスロットルボディ２６の内部（共通吸気通路１７）に開閉自在に収容されたスロットルバルブ２７、およびこのスロットルバルブ２７を閉弁作動方向（または開弁作動方向）に付勢するリターンスプリング（またはデフォルトスプリング）等によって構成されている。
そして、スロットルボディ２６には、シャフト２８を介して、スロットルバルブ２７を開弁作動方向（または閉弁作動方向）に駆動するアクチュエータ（電動モータ２９等）が設けられている。また、スロットルバルブ２７は、そのバルブ開度に相当するスロットル開度に応じて、スロットルボディ２６の内部（共通吸気通路１７）を流れる吸入空気の流量（吸入空気量）を可変制御する吸気量制御バルブである。
なお、電動モータ２９は、エンジン制御ユニット（以下ＥＣＵと呼ぶ）によって駆動（通電制御）されるように構成されている。
【００２９】
本実施例の吸気渦流発生装置は、エンジンＥの各気筒毎の燃焼室内において縦方向の吸気渦流（タンブル流）を発生させる複数の吸気流制御弁（タンブル流制御弁：以下ＴＣＶと呼ぶ）を備えている。このＴＣＶは、エンジンＥの吸気ダクト２の最下流部、つまりサージタンク３０よりも吸気流方向の下流側に設置されたインテークマニホールド３１の各分岐ダクト部３２、この分岐ダクト部３２の内部（分岐吸気通路２０）に開閉自在に収容された吸気流制御バルブ３３、およびこの吸気流制御バルブ３３を開弁作動方向（または閉弁作動方向）に付勢するリターンスプリング等によって構成されている。
そして、インテークマニホールド３１には、１本のシャフト３４を介して、吸気流制御バルブ３３を閉弁作動方向（または開弁作動方向）に駆動するアクチュエータ（電動モータ３５等）が設けられている。また、吸気流制御バルブ３３は、その全閉時または半開き時に、インテークマニホールド３１の各分岐ダクト部３２の内部（分岐吸気通路２０）の通路断面積を絞ることで、エンジンＥの各気筒毎の燃焼室内においてタンブル流を発生させるタンブル流制御バルブである。
なお、電動モータ３５は、ＥＣＵによって駆動（通電制御）されるように構成されている。
【００３０】
ここで、ＥＣＵには、制御処理や演算処理を行うＣＰＵ、制御プログラムまたは制御ロジックや各種データを保存する記憶装置（ＲＯＭやＲＡＭ等のメモリ）、入力回路（入力部）、出力回路（出力部）、電源回路、タイマー等の機能を含んで構成される周知の構造のマイクロコンピュータが設けられている。
また、ＥＣＵは、イグニッションスイッチがオン（ＩＧ・ＯＮ）されると、メモリ内に格納された制御プログラムまたは制御ロジックに基づいて、電動モータ２９、３５を通電制御するように構成されている。これにより、エンジンＥの運転中に、吸入空気量（スロットル開度）、ＴＣＶのバルブ開度等が各々制御指令値（制御目標値）となるように制御される。
また、ＥＣＵは、イグニッションスイッチがオフ（ＩＧ・ＯＦＦ）されると、メモリ内に格納された制御プログラムまたは制御ロジックに基づくスロットル開度制御やＴＣＶのバルブ開度制御等を含むエンジン制御（更には空燃比制御、点火制御や燃料噴射制御等）が強制的に終了されるように構成されている。
【００３１】
次に、エンジンＥの吸気ダクト２は、エンジンＥの各気筒毎の燃焼室に吸入空気を供給するための吸気通路（流体流路）を形成するケーシングであって、吸気通路の途中に部分的に２重管構造の吸気消音器３を設置している。
すなわち、吸気ダクト２は、外気導入ダクト２１を有するエアクリーナケ−ス２２、このエアクリーナケース２２よりも通路方向（吸気流方向）の下流側に結合されるインテークパイプ２５、このインテークパイプ２５よりも吸気流方向の下流側に結合される２重管構造の吸気消音器３、この吸気消音器３よりも吸気流方向の下流側に結合されるスロットルボディ２６、このスロットルボディ２６よりも吸気流方向の下流側に結合されるサージタンク３０、およびこのサージタンク３０よりも吸気流方向の下流側に結合されるインテークマニホールド３１等によって構成されている。
【００３２】
なお、外気導入ダクト２１の内部には、エアクリーナケース２２の内部空間（ダストサイド空間１１、クリーンサイド空間１２）に連通する外気導入通路１０が形成されている。また、インテークパイプ２５の内部には、吸気消音器３の内部（連通路１５）に連通する共通吸気通路１３が形成されている。また、スロットルボディ２６の内部には、サージタンク３０の内部空間（拡張室）１９に連通する共通吸気通路（スロットルボア）１７が形成されている。また、インテークマニホールド３１の各分岐ダクト部３２の下流端には、エンジンＥのシリンダヘッドが気密的に結合されている。
また、エンジンＥの吸気ダクト２、特にインテークパイプ２５には、エンジンＥの各気筒（全気筒）の燃焼室内に供給される吸入空気量を電気信号に変換してＥＣＵに出力するエアフローメータ３６が搭載されている。
【００３３】
本実施例の吸気音低減装置は、エンジンＥの各気筒毎の燃焼室内に吸入空気を導入する吸気ダクト２に一体的に設置されている。この吸気ダクト２は、上述したように、吸気通路の途中に部分的に設置された２重管構造の吸気消音器３等を有している。
本実施例の吸気消音器３は、図１に示したように、エアクリーナ１のフィルタエレメント２３よりも吸気流方向の下流側（クリーンサイド）に設置されている。この吸気消音器３は、インテークパイプ２５とスロットルボディ２６との間に気密的に接続されている。  そして、吸気消音器３は、図２に示したように、内部に吸気通路（吸気導入通路１４、連通路１５、吸気導入通路１６）が形成された多角筒状（本例では六角筒状）の内筒膜（内管、内筒体：以下インナーダクトと言う）４と、このインナーダクト４の周囲を円筒状の消音室８を介して取り囲む円筒状（または多角筒状）の外筒壁（外管、外筒体：以下アウターダクトと言う）９とを備えている。
ここで、吸気導入通路１４、連通路１５、吸気導入通路１６は、多角断面を有する第１空間（流体流路）を構成する。また、消音室８は、円筒状の断面を有する第２空間（気体層、空気層）を構成する。この消音室８は、音波を干渉させて減衰させる音波干渉空気層を構成している。
【００３４】
本実施例のインナーダクト４は、その周方向の全周（全体）が、薄膜状の樹脂フィルムよりなる振動膜（薄膜）によって形成されている。このインナーダクト４は、連通路１５内を流れる吸入空気の流れ方向（吸気流方向）に垂直な断面が、多角筒形状（六角筒形状）となっている。
インナーダクト４である振動膜は、樹脂材料（例えば芳香族ポリアミド樹脂（ＰＡ）、ポリエチレンテレフタレート（ＰＥＴ）、ポリプロピレン（ＰＰ）、ポリエチレン−２，６−ナフタレート（ＰＥＮ）等の合成樹脂）によって形成された多角筒状（本例では六角筒状）の樹脂フィルム（例えば薄膜状のＰＥＮフィルム等）である。
インナーダクト４は、吸気ダクト２内を伝播する吸気音に共鳴して振動する筒状薄膜共鳴体を構成すると共に、所望（特定）の周波数を有する吸気音が、連通路側から消音室側に向けて透過可能な筒状吸気音透過体を構成している。また、インナーダクト（振動膜）４の内部には、エンジンＥの各気筒毎の燃焼室に連通する連通路１５が形成されている。この連通路１５は、インテークパイプ２５の内部（共通吸気通路１３）とスロットルボディ２６の内部（共通吸気通路１７）とを連通する中継吸気通路（流体流路、連通路）を構成している。
【００３５】
インナーダクト４である振動膜は、図２および図３に示したように、連通路１５の周囲を周方向に取り囲むように設置されている。この振動膜は、インナーダクト４の周方向に所定の間隔で配設された複数（６つ）の第１〜第６薄膜部５を有している。
複数の第１〜第６薄膜部５は、平面化された平面部であって、アウターダクト９よりも薄膜化されている。これらの第１〜第６薄膜部５は、内側の連通路１５と外側の消音室８とを気密的に区画する薄膜隔壁を構成し、所定の幅、所定の長さを有している。ここで、第１、第４薄膜部５は、連通路１５を間に挟んで対向して配置されており、第２、第３、第５、第６薄膜部５よりも幅が広い。
また、複数の第１〜第６薄膜部５には、エンジンＥから吸気ダクト２内を伝播してきた吸気音の所望（特定）の周波数に共鳴して振動する振動面がそれぞれ設けられている。つまり、複数の第１〜第６薄膜部５は、インナーダクト４の周方向に所定の間隔で配設された複数の振動面を有する振動膜（薄膜）を構成する。
複数の第１〜第６薄膜部５は、エンジンＥの吸気通路（連通路１５等）の軸線方向（吸気流方向）に対して平行な方向に延びるように形成されている。
【００３６】
インナーダクト４である振動膜は、複数の第１〜第６薄膜部５の各振動面のうちの隣り合う２つの振動面間に、連通路１５の通路方向（吸気流方向）に沿って真っ直ぐに延びる複数の第１補強部（以下第１〜第６屈曲部と言う）６を有している。複数の第１〜第６屈曲部６は、筋状の屈曲部（山折り線）であって、インナーダクト４の外部方向（径方向外方）に向けてヘの字状またはくの字状に屈曲するように突出する凸状のエッジ部（折り曲げ部）である。
また、インナーダクト４は、複数の第１〜第６屈曲部６のうちの少なくとも２つの第１、第４屈曲部６の最頂部を、アウターダクト９に接近する方向に真っ直ぐに延伸する２つの第１、第２板状突起３９を一体的に形成している。２つの第１、第２板状突起３９は、アウターダクト９に保持固定される。
【００３７】
インナーダクト４である振動膜は、図３に示したように、複数の第１〜第６屈曲部６の延長方向（吸気流方向）に対して直交する垂直方向に延びると共に、複数の第１〜第６屈曲部６の延長方向（吸気流方向）に対して垂直に交差する複数（２つ）の第２補強部（以下第１、第２多角環状リブ）７を有している。
第１多角環状リブ７は、インナーダクト４の吸気流方向の上流側に設けられており、また、第２多角環状リブ７は、インナーダクト４の吸気流方向の下流側に設けられている。  第１、第２多角環状リブ７は、多角環状の第１〜第６突条リブ（凸状の補強リブ）であって、複数の第１〜第６薄膜部５の各振動面の一部を、インナーダクト４の外部方向（径方向外方）に向けて突出させると共に、インナーダクト４の周方向に延びている。
この第１、第２多角環状リブ７は、台形状の内部空間を有し、平面化された頂面部（平面部）４１、第１〜第６屈曲部６に対応して設けられた凸状の屈曲部４２、および頂面部４１と根元部とを繋ぐように振動面に直交する垂線に対して所定の傾斜角度分だけ傾斜した斜面部（傾斜部）等によって構成されている。
そして、第１、第２多角環状リブ７の根元部には、インナーダクト４の内部方向（径方向内方）に向けて突出する凸形状の曲がり部（直線部分、谷折り線）４３、４４がそれぞれ形成されている。
【００３８】
また、第１、第２多角環状リブ７自体の幅方向の中央部には、図３（ａ）、（ｂ）に示したように、第１、第２多角環状リブ７、特に第２、第５突条リブの各曲がり部４３、４４の突出方向が反転するのを防止する２つの反転防止部が一体的に形成されている。
これらの反転防止部は、インナーダクト４の第２、第５薄膜部５の各振動面において、吸気流方向の上流側および下流側の第１、第２多角環状リブ７、特に第２、第５突条リブにそれぞれ２箇所ずつ設けられている。
そして、２つの反転防止部は、図３（ａ）、（ｂ）に示したように、第２、第５突条リブの根元部の各曲がり部４３、４４の平面視形状が、複数の第１〜第６屈曲部６に対して直交する垂直方向の幅よりも長い直線部分を、複数の第１〜第６屈曲部６に対して直交する垂直方向の幅方向に有さない形状となっている。
【００３９】
そして、第２、第５薄膜部５の各振動面において、第２、第５突条リブの根元部の各曲がり部４３、４４を第２、第５薄膜部５の各振動面に対して直交する垂直方向から見た形状、あるいは第２、第５突条リブの根元部の各曲がり部４３、４４の平面視形状は、複数の第１〜第６屈曲部６に対して直交する垂直方向に延び、複数の第１〜第６屈曲部６に対して平行な方向に一定の幅を有する部分、およびこの一定の幅を有する部分から複数の第１〜第６屈曲部６に対して平行な方向に延びる所定の形状（球面形状）の出っ張り部分を備える形状となっている。すなわち、第１、第２多角環状リブ７、特に第２、第５突条リブは、その両斜面部より外側（吸気流方向の上流側および下流側）に向かって出っ張った出っ張り状の突起部分５１、５２を備えている。
これらの突起部分５１、５２は、複数の第１〜第６屈曲部６に対して直交する垂直方向の幅よりも吸気流方向（図示上下方向）の幅が狭い楕円形状の凸状補強リブである。また、第１、第２多角環状リブ７、特に第２、第５突条リブの突起部分５１、５２の内部（連通路側）には、中空部が形成されている。
【００４０】
一方、図３（ｃ）、（ｄ）に示した第１、第２多角環状リブ７は、それ自体が、第１、第２多角環状リブ７の根元部の各曲がり部（蛇行部分）４５、４６の突出方向が反転するのを防止する反転防止構造を備えている。
すなわち、複数の第１〜第６薄膜部５の各振動面において、第１、第２多角環状リブ７の根元部の各曲がり部４５、４６を複数の第１〜第６薄膜部５の各振動面に対して直交する垂直方向から見た形状、あるいは第１、第２多角環状リブ７の根元部の各曲がり部４５、４６の平面視形状は、図３（ｃ）、（ｄ）に示したように、複数の第１〜第６屈曲部６に対して直交する垂直方向の幅よりも長い直線部分を、複数の第１〜第６屈曲部６に対して直交する垂直方向の幅方向に有さない形状となっている。
また、複数の第１〜第６薄膜部５の各振動面において、第１、第２多角環状リブ７の根元部の各曲がり部４５、４６を複数の第１〜第６薄膜部５の各振動面に対して直交する垂直方向から見た形状、あるいは第１、第２多角環状リブ７の根元部の各曲がり部４５、４６の平面視形状は、図３（ｃ）、（ｄ）に示したように、複数の第１〜第６屈曲部６に対して略直交する垂直方向に波状に蛇行して延びる波形形状となっている。
【００４１】
アウターダクト９は、インナーダクト４よりも高剛性（硬質）の樹脂材料（例えばポリプロピレン（ＰＰ）、ポリアミド樹脂（ＰＡ）等の合成樹脂）によって形成された円筒状の樹脂体である。このアウターダクト９は、吸気ダクト２の途中に一体的に形成されている。また、アウターダクト９の吸気流方向の上流側には、内部に吸気導入通路１４が形成された接続ダクト６１が一体的に形成されている。また、アウターダクト９の吸気流方向の下流側には、内部に吸気導入通路１６が形成された接続ダクト６２が一体的に形成されている。
２つの接続ダクト６１、６２は、アウターダクト９の本体部（インナーダクト４の周囲を取り囲む被覆体の部分）よりも内径および外径が小さい円筒部である。また、接続ダクト６１の上流側の開口端は、インテークパイプ２５の下流端に気密的に結合されている。また、接続ダクト６２の下流側の開口端は、スロットルボディ２６の上流端に気密的に結合されている。
【００４２】
また、アウターダクト９は、図２に示したように、図示上下方向に２分割された分割部６３、６４よりなる。分割部６３は、所定の隙間を隔てて対向する一対の第１、第２対向部６５を有している。また、分割部６４は、所定の隙間を隔てて対向する一対の第１、第２対向部６６を有している。これらの第１、第２対向部６５、６６は、連通路１５の通路方向（吸気流方向）に沿って真っ直ぐに延びている。
ここで、インナーダクト４である振動膜に一体的に設けられる２つの第１、第２板状突起３９は、第１、第２対向部６５、６６間にそれぞれ挟み込まれて保持固定されている。これにより、インナーダクト４である振動膜がアウターダクト９に固定される。
【００４３】
［実施例１の作用］
次に、本実施例のエンジンＥの吸気消音器３の作用を図１ないし図３に基づいて簡単に説明する。
【００４４】
イグニッションスイッチがオン（ＩＧ・ＯＮ）されると、スロットルバルブ２７のスロットル開度に応じて、エアクリーナケース２２の外気導入口２４から外気を吸入し、エンジンＥが運転を開始する。このとき、エンジンＥの特定気筒が排気行程から、吸気バルブが開弁し、ピストンが下降する吸気行程に移行すると、ピストンの下降に従って当該気筒の燃焼室内の負圧（大気圧よりも低い圧力）が大きくなり、開弁している吸気ポートから燃焼室に混合気が吸い込まれる。
また、エンジンＥは、吸気バルブの開閉作動およびピストンの昇降運動を実施することで、吸気行程、圧縮行程、膨張（燃焼）行程、排気行程の４つの行程（ストローク）を順次繰り返すため、吸気ダクト２内の全体に吸入空気の振動、すなわち、吸気脈動が発生する。そして、この吸気脈動に伴って吸気脈動音、つまり吸気音が吸気ダクト２内を伝播する。
【００４５】
吸気ダクト２内を伝播した吸気音が、エンジン側から吸気消音器３に到達すると、吸気消音器３のインナーダクト（振動膜）４の複数の第１〜第６薄膜部５が、吸気ダクト２内を伝播してきた吸気音の所望（特定）の周波数（を含む特定の周波数帯域）に共鳴して振動する。そして、吸気消音器３のインナーダクト（振動膜）４の複数の第１〜第６薄膜部５の振動によって発生する音波が、インナーダクト４の複数の第１〜第６薄膜部５から吸気消音器３の消音室８内に伝播する。そして、吸気消音器３のアウターダクト９の内周部に伝播してきた音波は、先ず吸気消音器３の消音室８内で減衰する。
【００４６】
次に、吸気消音器３のアウターダクト９の内周部に伝播してきた音波は、アウターダクト９の内周部で反射し、反射波となってインナーダクト４の複数の第１〜第６薄膜部５側に向かう。これにより、吸気消音器３のインナーダクト４の振動によって発生し、アウターダクト側に向かう音波と、インナーダクト側に向かう反射波とが干渉して減衰する。
したがって、吸気消音器３のインナーダクト（振動膜）４の複数の第１〜第６薄膜部５の振動によって発生する音波が減衰（消音）されるので、アウターダクト９から外部へ伝達される放射音を低減することが可能となる。
【００４７】
［実施例１の効果］
以上のように、本実施例の２重管構造の吸気消音器３においては、インナーダクト（振動膜）４に設けられる第２、第５薄膜部５の各振動面において、第１、第２多角環状リブ７、特に第２、第５突条リブの根元部の各曲がり部４３、４４を、第２、第５薄膜部５の各振動面に対して直交する垂直方向から見た形状、あるいは第２、第５突条リブの根元部の各曲がり部４３、４４の平面視形状が、図３（ａ）、（ｂ）に示したように、第２、第５突条リブの両斜面部より外側（吸気流方向の上流側および下流側）に向かって出っ張った出っ張り状の突起部分５１、５２を備える形状となっている。
ここで、図３（ａ）、（ｂ）に示した第２、第５薄膜部５の各振動面においては、第２、第５突条リブの根元部の各曲がり部４３、４４に、複数の第２、第３、第５、第６屈曲部６に対して直交する垂直方向の幅と同一幅の直線部分を有しているが、その直線部分の各曲がり部４３、４４の中央部を補強するように出っ張り状の突起部分（反転防止部）５１、５２が設けられている。これにより、図３（ａ）、（ｂ）に示した第２、第５薄膜部５の各振動面において、複数の第２、第３、第５、第６屈曲部６に対して直交する垂直方向の幅よりも長い直線部がなくなる。
【００４８】
一方、本実施例の２重管構造の吸気消音器３においては、インナーダクト（振動膜）４に設けられる複数の第１〜第６薄膜部５の全ての振動面において、第１、第２多角環状リブ７の根元部の各曲がり部４５、４６を複数の第１〜第６薄膜部５の各振動面に対して直交する垂直方向から見た形状、あるいは第１、第２多角環状リブ７の根元部の各曲がり部４５、４６の平面視形状が、図３（ｃ）、（ｄ）に示したように、複数の第１〜第６屈曲部６に対して略直交する垂直方向に波状に蛇行して延びる波形形状となっている。
ここで、図３（ｃ）、（ｄ）に示した複数の第１〜第６薄膜部５の全ての振動面においては、波形形状の第１、第２多角環状リブ７の各第１〜第６突条リブを設けることで、複数の第１〜第６薄膜部５の全ての振動面において、複数の第１〜第６屈曲部６に対して直交する垂直方向の幅よりも長い直線部分が存在しない。
【００４９】
これによって、エンジンＥの吸気通路を形成するインナーダクト４の内部（連通路１５内）に圧力変化が発生した場合であっても、インナーダクト（振動膜）４の複数の第１〜第６薄膜部５に設けられる第１、第２多角環状リブ７の根元部の各曲がり部４３〜４６の突出方向が急激に反転するのを防止することができるので、大きな異音（「ベコ」という高周波音）の発生を抑制することが可能となる。
また、インナーダクト（振動膜）４の複数の第１〜第６薄膜部５に設けられる第１、第２多角環状リブ７の根元部の各曲がり部４３〜４６の急激な反転を繰り返すのを防止することができるので、第１、第２多角環状リブ７の根元部の各曲がり部４３〜４６に作用する応力を緩和でき、耐疲労性が向上する。
【実施例２】
【００５０】
図４は本発明の実施例２を示したもので、図４はインナーダクト（振動膜）を示した図である。
【００５１】
先ず、図４（ａ）、（ｂ）に示した第１、第２多角環状リブ７は、それ自体が、第１、第２多角環状リブ７の根元部の各曲がり部４３、４４の突出方向が反転するのを防止する反転防止構造を備えている。
すなわち、複数の第１〜第６薄膜部５の各振動面において、第１、第２多角環状リブ７の根元部の各曲がり部４３、４４を複数の第１〜第６薄膜部５の各振動面に対して直交する垂直方向から見た形状、あるいは第１、第２多角環状リブ７の根元部の各曲がり部４３、４４の平面視形状は、図４（ａ）、（ｂ）に示したように、複数の第１〜第６屈曲部６に対して直交する垂直方向の幅よりも長い直線部分を、複数の第１〜第６屈曲部６に対して直交する垂直方向の幅方向に有さない形状となっている。
また、複数の第１〜第６薄膜部５の各振動面において、第１、第２多角環状リブ７の根元部の各曲がり部４３、４４を複数の第１〜第６薄膜部５の各振動面に対して直交する垂直方向から見た形状、あるいは第１、第２多角環状リブ７の根元部の各曲がり部４３、４４の平面視形状は、図４（ａ）、（ｂ）に示したように、第２、第５屈曲部６から第２、第５薄膜部５の各振動面の中央部分に向けて徐々に頂面部４１の幅が広くなる略菱形の形状となっている。
【００５２】
また、図４（ｃ）、（ｄ）に示した第１、第２多角環状リブは、２分割された２つの第１、第２分割リブ７１、７２を有している。これらの第１、第２分割リブ７１、７２は、それ自体が、２つの第１、第２分割リブ７１、７２の根元部の各曲がり部４３、４４の突出方向が反転するのを防止する反転防止構造を備えている。
すなわち、第２、第５薄膜部５の各振動面において、２つの第１、第２分割リブ７１、７２の根元部の各曲がり部４３、４４を第２、第５薄膜部５の各振動面に対して直交する垂直方向から見た形状、あるいは２つの第１、第２分割リブ７１、７２の根元部の各曲がり部４３、４４の平面視形状は、図４（ｃ）、（ｄ）に示したように、複数の第２、第３、第５、第６屈曲部６に対して直交する垂直方向の幅よりも長い直線部分を、複数の第２、第３、第５、第６屈曲部６に対して直交する垂直方向の幅方向に有さない形状となっている。
また、第２、第５薄膜部５の各振動面において、２つの第１、第２分割リブ７１、７２の根元部の各曲がり部４３、４４を複数の第１〜第６薄膜部５の各振動面に対して直交する垂直方向から見た形状、あるいは２つの第１、第２分割リブ７１、７２の根元部の各曲がり部４３、４４の平面視形状は、図４（ｃ）、（ｄ）に示したように、複数の第２、第３、第５、第６屈曲部６に対して直交する垂直方向に延びる直線部分を備え、複数（２つ）に分割（２分割）されている半多角環状形状となっている。
以上のように、本実施例の吸気消音器３においては、実施例１と同様な効果を達成することができる。
【実施例３】
【００５３】
図５は本発明の実施例３を示したもので、図５はインナーダクト（振動膜）を示した図である。
【００５４】
先ず、図５（ａ）、（ｂ）に示した第１、第２多角環状リブ７は、それ自体が、第１、第２多角環状リブ７の根元部の各曲がり部４３、４４の突出方向が反転するのを防止する反転防止構造を備えている。
すなわち、複数の第１〜第６薄膜部５の各振動面において、第１、第２多角環状リブ７の根元部の各曲がり部４３、４４を複数の第１〜第６薄膜部５の各振動面に対して直交する垂直方向から見た形状、あるいは第１、第２多角環状リブ７の根元部の各曲がり部４３、４４の平面視形状は、図５（ａ）、（ｂ）に示したように、複数の第１〜第６屈曲部６に対して直交する垂直方向の幅よりも長い直線部分を、複数の第１〜第６屈曲部６に対して直交する垂直方向の幅方向に有さない形状となっている。
また、複数の第１〜第６薄膜部５の各振動面において、第１、第２多角環状リブ７の根元部の各曲がり部４３、４４を複数の第１〜第６薄膜部５の各振動面に対して直交する垂直方向から見た形状、あるいは第１、第２多角環状リブ７の根元部の各曲がり部４３、４４の平面視形状は、図５（ａ）、（ｂ）に示したように、複数の第１〜第６屈曲部６に対して直交する垂直方向に延びる頂面部４１を有し、その垂直方向の頂面部４１の中央部分の両側に設けられる斜面部が括れた形状となっている。
【００５５】
また、図５（ｃ）、（ｄ）に示した第１、第２多角環状リブ７は、それ自体が、第１、第２多角環状リブ７の根元部の各曲がり部４３、４４の突出方向が反転するのを防止する反転防止構造を備えている。
すなわち、複数の第１〜第６薄膜部５の各振動面において、第１、第２多角環状リブ７の根元部の各曲がり部４３、４４を複数の第１〜第６薄膜部５の各振動面に対して直交する垂直方向から見た形状、あるいは第１、第２多角環状リブ７の根元部の各曲がり部４３、４４の平面視形状は、図５（ｃ）、（ｄ）に示したように、複数の第１〜第６屈曲部６に対して直交する垂直方向の幅よりも長い直線部分を、複数の第１〜第６屈曲部６に対して直交する垂直方向の幅方向に有さない形状となっている。
また、複数の第１〜第６薄膜部５の各振動面において、第１、第２多角環状リブ７の根元部の各曲がり部４３、４４を複数の第１〜第６薄膜部５の各振動面に対して直交する垂直方向から見た形状、あるいは第１、第２多角環状リブ７の根元部の各曲がり部４３、４４の平面視形状は、図５（ｃ）、（ｄ）に示したように、略Ｘ字形の形状となっている。  以上のように、本実施例の吸気消音器３においては、実施例１と同様な効果を達成することができる。
【実施例４】
【００５６】
図６は本発明の実施例４を示したもので、図６はインナーダクト（振動膜）を示した図である。
【００５７】
第１、第２多角環状リブ７自体の幅方向の中央部には、図６（ａ）〜（ｄ）に示したように、第１、第２多角環状リブ７、特に第２、第５突条リブの各曲がり部４３、４４の突出方向が反転するのを防止する２つの反転防止部が一体的に形成されている。これらの反転防止部は、図６（ａ）〜（ｄ）に示したように、第２、第５突条リブの根元部の各曲がり部４３、４４の平面視形状が、複数の第１〜第６屈曲部６に対して直交する垂直方向の幅よりも長い直線部分を、複数の第１〜第６屈曲部６に対して直交する垂直方向の幅方向に有さない形状となっている。
【００５８】
そして、第２、第５薄膜部５の各振動面において、第２、第５突条リブの根元部の各曲がり部４３、４４を第２、第５薄膜部５の各振動面に対して直交する垂直方向から見た形状、あるいは第２、第５突条リブの根元部の各曲がり部４３、４４の平面視形状は、複数の第１〜第６屈曲部６に対して直交する垂直方向に延び、複数の第１〜第６屈曲部６に対して平行な方向に一定の幅を有する部分、およびこの一定の幅を有する部分から複数の第１〜第６屈曲部６に対して平行な方向に延びる所定の形状（楕円形状）の出っ張り部分を備える形状となっている。すなわち、第１、第２多角環状リブ７、特に第２、第５突条リブは、その両斜面部より外側（吸気流方向の上流側および下流側）に向かって出っ張った出っ張り状の突起部分５１、５２を備えている。
【００５９】
ここで、図６（ａ）、（ｂ）に示した突起部分５１、５２は、複数の第１〜第６屈曲部６に対して直交する垂直方向の幅よりも吸気流方向（図示上下方向）の幅が広い楕円形状の凸状補強リブである。また、図６（ｃ）、（ｄ）に示した突起部分５１、５２は、複数の第１〜第６屈曲部６に対して直交する垂直方向の幅よりも吸気流方向（図示上下方向）の幅が狭い楕円形状の凸状補強リブである。
以上のように、本実施例の吸気消音器３においては、実施例１と同様な効果を達成することができる。
【実施例５】
【００６０】
図７は本発明の実施例５を示したもので、図７はインナーダクト（振動膜）を示した図である。
【００６１】
第１、第２多角環状リブ７の近傍には、図７（ａ）、（ｂ）に示したように、第１、第２多角環状リブ７、特に第２、第５突条リブの各曲がり部４３、４４の突出方向が反転するのを防止する２つの反転防止部が一体的に形成されている。
そして、第２、第５薄膜部５の各振動面において、第２、第５突条リブの根元部の各曲がり部４３、４４を第２、第５薄膜部５の各振動面に対して直交する垂直方向から見た形状、あるいは第２、第５突条リブの根元部の各曲がり部４３、４４の平面視形状は、複数の第１〜第６屈曲部６に対して直交する垂直方向に延びる直線部分（第１、第２多角環状リブ７）、およびその垂直方向の直線部分の中央部分より離れた位置に設置される島状部分５３、５４を備えた形状となっている。すなわち、第１、第２多角環状リブ７、特に第２、第５突条リブは、その両斜面部より外側（吸気流方向の上流側および下流側）に離れた位置に飛び島状の突起部分（島状部分５３、５４）を備えている。なお、直線部分とは、第１、第２多角環状リブ７、特に第２、第５突条リブのことである。
以上のように、本実施例の吸気消音器３においては、実施例１と同様な効果を達成することができる。
【実施例６】
【００６２】
図８および図９は本発明の実施例６を示したもので、図８および図９はインナーダクト（振動膜）を示した図である。
【００６３】
本実施例のインナーダクト４である振動膜は、吸気流方向における通路断面積が、上流側から下流側に向けて大きくなっている。この振動膜は、連通路１５内を流れる吸入空気の流れ方向（吸気流方向）に垂直な断面が、多角筒形状（八角筒形状）となっている。また、振動膜は、インナーダクト４の周方向に所定の間隔で配設された複数（８つ）の第１〜第８薄膜部５を有している。
そして、インナーダクト４である振動膜は、複数の第１〜第８薄膜部５の各振動面のうちの隣り合う２つの振動面間に、連通路１５の通路方向（吸気流方向）に沿って真っ直ぐに延びる複数の第１補強部（以下第１〜第８屈曲部と言う）６を有している。また、インナーダクト４である振動膜は、複数の第１〜第８屈曲部６の延長方向（吸気流方向）に対して直交する垂直方向に延びると共に、複数の第１〜第８屈曲部６の延長方向（吸気流方向）に対して垂直に交差する複数（２つ）の第２補強部（以下第１、第２多角環状リブ）７を有している。
【００６４】
また、第１、第２多角環状リブ７は、多角環状の第１〜第８突条リブ（凸状の補強リブ）であって、複数の第１〜第８薄膜部５の各振動面の一部を、インナーダクト４の外部方向（径方向外方）に向けて突出させると共に、インナーダクト４の周方向に延びている。この第１、第２多角環状リブ７は、台形状の内部空間を有し、平面化された頂面部（平面部）４１、第１〜第８屈曲部６に対応して設けられた凸状の屈曲部４２、および頂面部４１と根元部とを繋ぐように振動面に直交する垂線に対して所定の傾斜角度分だけ傾斜した斜面部（傾斜部）等によって構成されている。そして、第１、第２多角環状リブ７の根元部には、インナーダクト４の内部方向（径方向内方）に向けて突出する凸形状の曲がり部（直線部分、谷折り線）４３、４４がそれぞれ形成されている。
第１、第２多角環状リブ７自体の幅方向の中央部には、第１、第２多角環状リブ７、特に第２、第６突条リブの各曲がり部４３、４４の突出方向が反転するのを防止する２つの反転防止部が一体的に形成されている。これらの反転防止部は、第２、第６突条リブの根元部の各曲がり部４３、４４の平面視形状が、複数の第１〜第８屈曲部６に対して直交する垂直方向の幅よりも長い直線部分を、複数の第１〜第８屈曲部６に対して直交する垂直方向の幅方向に有さない形状となっている。
【００６５】
そして、複数の第２、第６薄膜部５の各振動面において、第２、第６突条リブの根元部の各曲がり部４３、４４を複数の第２、第６薄膜部５の各振動面に対して直交する垂直方向から見た形状、あるいは第２、第６突条リブの根元部の各曲がり部４３、４４の平面視形状は、複数の第１〜第８屈曲部６に対して直交する垂直方向に延び、複数の第１〜第８屈曲部６に対して平行な方向に一定の幅を有する部分、およびこの一定の幅を有する部分から複数の第１〜第８屈曲部６に対して平行な方向に延びる所定の形状（略二等辺三角形状）の出っ張り部分を備える形状となっている。すなわち、第１、第２多角環状リブ７、特に第２、第６突条リブは、その両斜面部より外側（吸気流方向の上流側および下流側）に向かって出っ張った出っ張り状の突起部分５５、５６を備えている。
ここで、突起部分５５、５６は、その頂面部が、第１、第２多角環状リブ７、特に第２、第６突条リブの頂面部４１と略同一の高さにある二等辺三角形状の凸状補強リブである。
以上のように、本実施例の吸気消音器３においては、実施例１と同様な効果を達成することができる。
【００６６】
［変形例］
本実施例では、エンジンＥの吸気ダクト２に、吸気通路開閉装置および吸気渦流発生装置を設置したが、エンジンＥの吸気ダクト２に、吸気通路開閉装置または吸気渦流発生装置を設置しなくても良い。エンジンＥの吸気ダクト２に、少なくとも吸気音低減装置（吸気音制御装置）が設置されていれば良い。
本実施例では、インナーダクト４とアウターダクト９との間に形成される筒状の空間を消音室８として使用しているが、インナーダクト４とアウターダクト９との間に形成される筒状の空間を吸音室または共鳴室として使用しても良い。
【００６７】
ここで、共鳴室として使用する場合には、アウターダクト９に分岐開口部（連通孔）を設け、この分岐開口部からダッシュパネル（またはサイドパネル）を貫通して、自動車の車室内で開口する開口部まで延びる分岐ダクトを吸気消音器３に接続する。そして、インナーダクト４の形状、厚み、面積または位置をチューニングすることにより、所望（特定）の周波数（を含む特定の周波数帯域：例えば１００〜４００Ｈｚ程度）を有する吸気音、例えば運転者にとって心地良い吸気音が、インナーダクト４を透過して、吸気消音器３の共鳴室および分岐開口部からダッシュパネル（またはサイドパネル）を貫通する分岐ダクト内に伝播し、その後に、分岐ダクトの開口部から自動車の車室内に放出される。なお、この場合の吸気消音器３は共鳴器となる。
【００６８】
本実施例では、アウターダクトとして、六角筒形状のアウターダクト９を採用しているが、アウターダクトとして、三角筒形状、四角筒形状、五角筒形状、七角筒以上の多角筒形状、あるいは長円筒形状等のように、少なくとも一部に所定の面積を持つ平面部を有する筒形状の被覆体を採用しても良い。
本実施例では、インナーダクト４として、六角筒形状の振動膜（薄膜、内筒膜）を採用しているが、インナーダクト４として、三角筒形状、四角筒形状、五角筒形状、七角筒以上の多角筒形状、あるいは長円筒形状等のように、少なくとも一部に所定の面積を持つ平面部を有する筒形状の振動膜（薄膜）を採用しても良い。
また、アウターダクト９とインナーダクト４とが同一の多角筒形状または長円筒形状である必要はなく、アウターダクト９とインナーダクト４とを異なる多角筒形状または長円筒形状としても良い。
【００６９】
本実施例では、本発明の消音器を、エンジンＥで発生した吸気音、つまりインナーダクト４よりも吸気通路（流体流路）を流れる吸入空気（流体、特に気体）の流れ方向（吸気流方向）の下流側で発生した音を減衰させる吸気消音器３に適用しているが、本発明の消音器を、ダクトよりも流体流路を流れる流体の流れ方向の上流側で発生した音を減衰させる消音器に適用しても良い。あるいは本発明の消音器を、ダクトの内部で発生した音を減衰させる消音器に適用しても良い。
【００７０】
本実施例では、インナーダクト４の周方向の全周が樹脂フィルムよりなる振動膜（薄膜）によって形成されているが、第１補強部の両側で隣り合う２面が共に振動面であれば、インナーダクト４の周方向の一部が薄膜によって形成されていても良い。
本実施例では、ダクトの周囲を気体層を介して取り囲む筒状の被覆体を、硬質のアウターダクト９によって形成しているが、被覆体を、軟質の被覆材によって形成しても良い。  なお、消音室（気体層）８を、インナーダクト４の周方向の一部分が密閉され、インナーダクト４の周方向の残りの部分が開放されるように構成しても良い。
また、アウターダクト（被覆体）９に、消音室（気体層）８とアウターダクト（被覆体）９の外部とを連通する連通孔を設けても良い。また、アウターダクト（被覆体）９を設けなくても良い。
また、空気層（消音室８）を、アルゴン、ヘリウム、キセノン等の不活性ガス、窒素ガスなどが封入されるガス層（気体層）に変更しても良い。
【００７１】
本実施例では、アウターダクト９を、インナーダクト４よりも高剛性（硬質）の樹脂材料によって形成しているが、アウターダクト９を、インナーダクト４よりも柔軟性（軟質）のある樹脂材料（例えばエラストマー樹脂等の合成樹脂）、あるいは柔軟性のある弾性材料（例えばシリコンゴムまたはエチレン・プロピレン・ジエンゴム（ＥＰＤＭ）等の弾性体）、あるいは柔軟性のあるポリウレタンフォーム等の吸音材によって形成形成しても良い。また、アウターダクト９を、インナーダクト４よりも高剛性（硬質）の金属材料（例えばアルミニウム、鉄等）、あるいはインナーダクト４よりも柔軟性のある軟質の金属材料（例えばアルミニウム、鉄等）によって形成しても良い。
本実施例では、本発明の消音器を、エンジンＥの吸気ダクト２の途中に部分的に設置された２重管構造の吸気消音器３に適用しているが、本発明の消音器を、内燃機関の排気ダクトの途中に部分的に設置された排気消音器（自動車用マフラ）に適用しても良い。また、本発明の消音器を、空調装置（エアコン）用の吸気ダクトまたは燃焼式暖房装置の排気ダクトの途中に部分的に設置される消音器に適用しても良い。
【図面の簡単な説明】
【００７２】
【図１】内燃機関の吸気制御装置を示した概略図である（実施例１）。
【図２】（ａ）は内燃機関の吸気消音器を示した断面図で、（ｂ）は（ａ）のＡ−Ａ断面図である（実施例１）。
【図３】（ａ）、（ｂ）はインナーダクト（振動膜）を示した平面図、正面図で、（ｃ）、（ｄ）はインナーダクト（振動膜）を示した平面図、正面図である（実施例１）。
【図４】（ａ）、（ｂ）はインナーダクト（振動膜）を示した平面図、正面図で、（ｃ）、（ｄ）はインナーダクト（振動膜）を示した平面図、正面図である（実施例２）。
【図５】（ａ）、（ｂ）はインナーダクト（振動膜）を示した平面図、正面図で、（ｃ）、（ｄ）はインナーダクト（振動膜）を示した平面図、正面図である（実施例３）。
【図６】（ａ）、（ｂ）はインナーダクト（振動膜）を示した平面図、正面図で、（ｃ）、（ｄ）はインナーダクト（振動膜）を示した平面図、正面図である（実施例４）。
【図７】（ａ）はインナーダクト（振動膜）を示した平面図で、（ｂ）はインナーダクト（振動膜）を示した正面図である（実施例５）。
【図８】インナーダクト（振動膜）を示した斜視図である（実施例６）。
【図９】（ａ）、（ｂ）、（ｃ）はインナーダクト（振動膜）を示した正面図、平面図、側面図である（実施例１）。
【図１０】内燃機関の吸気ダクトを示した断面図である（従来の技術）。
【図１１】（ａ）はインナーダクトを示した平面図で、（ｂ）は（ａ）のＢ−Ｂ断面図で、（ｃ）は凸形状の補強リブの曲がり部の急激な反転状態を示した説明図である（従来の技術）。
【符号の説明】
【００７３】
Ｅ  エンジン（内燃機関）
２  エンジンの吸気ダクト
３  ２重管構造の吸気消音器
４  インナーダクト（薄膜、振動膜、内管、内筒膜）
５  振動面を有する第１〜第６薄膜部
６  第１〜第６屈曲部（第１補強部）
７  第１、第２多角環状リブ（第２補強部、凸状の補強リブ）
８  消音室（気体層、空気層）
９  アウターダクト（被覆体、外管、外筒壁）
１４  吸気導入通路（流体流路）
１５  連通路（流体流路）
１６  吸気導入通路（流体流路）
４１  第１、第２多角環状リブの頂面部（平面部）
４２  第１、第２多角環状リブの屈曲部
４３  第１、第２多角環状リブの曲がり部（直線部分）
４４  第１、第２多角環状リブの曲がり部（直線部分）
４５  第１、第２多角環状リブの曲がり部（蛇行部分）
４６  第１、第２多角環状リブの曲がり部（蛇行部分）
５１  第１、第２多角環状リブの突起部分（反転防止部、出っ張り部分、凸状の補強リブ）
５２  第１、第２多角環状リブの突起部分（反転防止部、出っ張り部分、凸状の補強リブ）
５３  第１、第２多角環状リブの島状部分（反転防止部、凸状の補強リブ）
５４  第１、第２多角環状リブの島状部分（反転防止部、凸状の補強リブ）
５５  第１、第２多角環状リブの突起部分（反転防止部、出っ張り部分、凸状の補強リブ）
５６  第１、第２多角環状リブの突起部分（反転防止部、出っ張り部分、凸状の補強リブ）
７１  第１、第２分割リブ（第２補強部、凸状の補強リブ、左側補強リブ）
７２  第１、第２分割リブ（第２補強部、凸状の補強リブ、右側補強リブ）
【図１】
2009156185.tif 000003
【図２】
2009156185.tif 000004
【図３】
2009156185.tif 000005
【図４】
2009156185.tif 000006
【図５】
2009156185.tif 000007
【図６】
2009156185.tif 000008
【図７】
2009156185.tif 000009
【図８】
2009156185.tif 000010
【図９】
2009156185.tif 000011
【図１０】
2009156185.tif 000012
【図１１】
2009156185.tif 000013